(57)【要約】【課題】構成簡易で廉価にて供給でき、何人も簡単にテーブル等の裏面に固定し、テーブル等上において散乱しやすいリモコン、携帯電話、印刷物、筆記具、メガネ、その他種々の小物を収納することができ、以てテーブル上等をきれいに片付いた状態に保持することができ、また、それらの小物の紛失を防止し得る小物受けトレーを提供することを課題とする。【解決手段】底板１と、底板１の３辺から立ち上がる周壁２〜４と、周壁２〜４の上縁に延設されたフランジ板５〜７とから成り、フランジ板５〜７を介して所望の個所に固定可能である。フランジ板５〜７には予め剥離紙が被装された両面テープ８が定着される。【選択図】  図１
0003210801.tif 000002
【実用新案登録請求の範囲】
【請求項１】
底板と、前記底板の３辺から立ち上がる周壁と、前記周壁の上縁に延設されたフランジ板とから成り、前記フランジ板を介して所望の個所に固定可能である小物受けトレー。
【請求項２】
前記フランジ板には予め剥離紙が被装された両面テープが定着されている、請求項１に記載の小物受けトレー。
【請求項３】
前記底板に細幅の小物収納部が凹設されている、請求項１又は２に記載の小物受けトレー。
【請求項４】
底板と、前記底板の３辺から立ち上がる周壁と、両側の前記周壁の上縁に延設されたフランジ板とを有するケース本体と、前記フランジ板を摺動可能に係止する係止溝を有する一対のスライドガイドとから成り、前記スライドガイドは所望の個所に固定可能であり、前記ケース本体は、前記フランジ板が前記スライドガイドの係止溝内に装入されることにより、前記スライドガイドに沿って引き出し可能であることを特徴とする小物受けトレー。
【請求項５】
前記スライドガイドの一面に、剥離紙が被装された両面テープが定着されている、請求項４に記載の小物受けトレー。
【請求項６】
底板形成部の３辺に折れ線を介して周壁形成部が延設され、前記周壁形成部に折れ線を介してフランジ板形成部が延設され、前記フランジ板に剥離紙が被装された両面テープが定着されていることを特徴とする小物受けトレー組み立て用シート。
【請求項７】
前記周壁形成部の端部にコーナー固定用舌片が突設されている、請求項６に記載の小物受けトレー組み立て用シート。
【請求項８】
前記底板形成部の一端部に細幅の小物収納部凹設用折れ線が３本刻設されている、請求項６又は７に記載の小物受けトレー組み立て用シート。
【考案の詳細な説明】
【技術分野】
【０００１】
本考案は、小物受けトレーに関するものであり、より詳細には、テーブルやデスク等の裏面に取り付けて用いる小物受けトレーに関するものである。
【背景技術】
【０００２】
例えば、テーブルの場合、小物入れスペースが設けられていないものが多いため、リモコン、携帯電話、印刷物、筆記具、メガネ、その他種々の小物がテーブル上に載せられることが多く、雑然となりやすい。そこで、裏面に小物入れを配備したテーブルが提案されている。それは、テーブルの裏面に予め設置されるものであるが、事後にテーブルや机の裏面に設置し得る小物入れの提案もある（特許文献１：実用新案登録第３０４９９７７号公報、特許文献２：実用新案登録第３１３１９６３号公報）。
【先行技術文献】
【特許文献】
【０００３】
【特許文献１】実用新案登録第３０４９９７７号公報
【特許文献２】実用新案登録第３１３１９６３号公報
【考案の概要】
【考案が解決しようとする課題】
【０００４】
上記特許文献１の考案に係る小物入れの場合、架設プレートと引き出しとから成るものであるので、製品コストが嵩むという問題がある。
【０００５】
そこで本考案は、構成簡易で廉価にて供給でき、何人も簡単にテーブル等の裏面に固定し、テーブル等上において散乱しやすいリモコン、携帯電話、印刷物、筆記具、メガネ、その他種々の小物を収納することができ、以てテーブル上等をきれいに片付いた状態に保持することができ、また、それらの小物の紛失を防止し得る小物受けトレーを提供することを課題とする。
【課題を解決するための手段】
【０００６】
上記課題を解決するための請求項１に記載の考案は、底板と、前記底板の３辺から立ち上がる周壁と、前記周壁の上縁に延設されたフランジ板とから成り、前記フランジ板を介して所望の個所に固定可能である小物受けトレーである。
【０００７】
一実施形態においては、前記フランジ板には予め剥離紙が被装された両面テープが定着される。また、前記底板に細幅の小物収納部が凹設されることがある。
【０００８】
上記課題を解決するための請求項４に記載の考案は、底板と、前記底板の３辺から立ち上がる周壁と、両側の前記周壁の上縁に延設されたフランジ板とを有するケース本体と、前記フランジ板を摺動可能に係止する係止溝を有する一対のスライドガイドとから成り、前記スライドガイドは所望の個所に固定可能であり、前記ケース本体は、前記フランジ板が前記スライドガイドの係止溝内に装入されることにより、前記スライドガイドに沿って引き出し可能であることを特徴とする小物受けトレーである。
【０００９】
一実施形態においては、前記スライドガイドの一面に、剥離紙が被装された両面テープが定着される。
【００１０】
上記課題を解決するための請求項６に記載の考案は、底板形成部の３辺に折れ線を介して周壁形成部が延設され、前記周壁形成部に折れ線を介してフランジ板形成部が延設され、前記フランジ板に剥離紙が被装された両面テープが定着されていることを特徴とする小物トレー組み立て用シートである。
【００１１】
一実施形態においては、前記周壁形成部の端部にコーナー固定用舌片が突設され、また、前記底板形成部の一端部に細幅の小物収納部凹設用折れ線が３本刻設されている。
【考案の効果】
【００１２】
本考案に係る小物受けトレーは上記のとおりであって、構成簡易で極めて廉価にて供給でき、何人も簡単にテーブル等の裏面に固定し、テーブル等上において散乱しやすいリモコン、携帯電話、印刷物、筆記具、メガネ、その他種々の小物を収納することができ、以てテーブル上等をきれいに片付いた状態に保持することができ、また、それらの小物の紛失を防止し得る効果がある。
【図面の簡単な説明】
【００１３】
【図１】本考案に係る小物受けトレーの第１の実施形態の斜視図である。
【図２】本考案に係る小物受けトレー組み立て用シート（第２の実施形態）の斜視図である。
【図３】本考案に係る小物受けトレーの第１の実施形態の変形例を示す斜視図である。
【図４】本考案に係る小物受けトレーの第１の実施形態の使用状態を示す図である。
【図５】本考案に係る小物受けトレーの第３の実施形態の斜視図である。
【考案を実施するための形態】
【００１４】
本考案を実施するための形態について、添付図面を参照しつつ説明する。本考案に係る小物受けトレーは、テーブルやデスク等の裏面に取り付けて、リモコン、携帯電話、印刷物、筆記具、メガネ、その他種々の小物を収納するためのもので、図１に示されるように、四角形状の底板１と、底板１の３辺から立ち上がる周壁２〜４と、周壁２〜４の上縁に水平に延設されたフランジ板５〜７とから成る。
【００１５】
この小物受けトレーは、フランジ板５〜７を介してテーブル３１やデスク等の裏面、あるいは、壁面その他の所望個所に固定して使用される（図４参照）。フランジ板５〜７の固定方法は任意で、ビス止め、接着、その他任意の手段を用いることができる。この小物受けトレーは厚紙製、樹脂製、木製あるいは金属製であるが、厚紙や樹脂板等の軽量資材製である場合は、予めフランジ板５〜７に剥離紙が被装された両面テープ８を定着しておき、取り付け時に剥離紙を剥離して所望個所に粘着固定するようにすることができる。
【００１６】
本考案に係る小物受けトレーは、図１に示されるような完成形態として供給される場合（第１の実施形態）と、取り付けに際して組み立てる形態として供給される場合（第２の実施形態）とがある。図２は第２の実施形態を示すもので、それは、厚紙製又は樹脂製の平板材であって、底板形成部１１と、その３辺に折れ線２１を介して延設される周壁形成部１２〜１４と、周壁形成部１２〜１４に折れ線２２を介して延設されるフランジ板形成部１５〜１７とから成り、フランジ板形成部１５〜１７に剥離紙が被装された両面テープ１８が定着されていることを特徴とする小物受けトレー組み立て用シートである。
【００１７】
この場合、周壁形成部１２〜１４のうちのいずれかの端部に、両面テープ１８を定着したコーナー固定用舌片１９を突設することが好ましい。このコーナー固定用舌片１９は、組立後の保形性を確保するために利用される。
【００１８】
この組み立て用シートを用いて小物受けトレーを組み立てる場合、先ず、各周壁形成部１２〜１４を折れ線２１から垂直に立ち上げ、次いで、フランジ板形成部１５〜１７を折れ線２２から水平に折曲する。コーナー固定用舌片１９がある場合は、それを隣接するいずれかの周壁形成部１２〜１４の端部外側面上に当てて、両面テープ１８等の手段で固着し、以て、確固たるコーナーを形成する。かくして、図１に示すものと同様の完成形態の小物受けトレーができ上がる。
【００１９】
本考案に係る小物受けトレーは、上記のとおりフランジ板５〜７を介し、テーブルやデスク等の裏面に固定設置し、あるいは、垂直状態にして壁面等に固定設置し、小物収納部として任意の小物を収納することができる。かくして、テーブル等に置かれる筆記具、印刷物、リモコン、携帯電話等の小物を整理して保管することができ、同時にそれらの紛失を回避することができるようになる。
【００２０】
上述した実施形態における底板１は全面的に平板であるが、その一部を窪ませて筆記具等の細幅の小物収納部３３を設けることとしてもよい（図３参照）。なお、図３に示すものは第２の実施形態の変形例で、その場合底板形成部の一端部に細幅の小物収納部３３を形成するための凹設用折れ線が３本刻設され、この３本の凹設用折れ線に沿って折曲することにより小物収納部３３が形成される。図３における符号２４、２５は、この小物収納部３３を有する小物入れトレーを１枚の平板材から組み立て可能に構成する場合に必然的に生ずる切欠き、並びに、突片である。
【００２１】
上記第１の実施形態及び第２の実施形態の場合、小物受けトレー３０は、テーブル３１やデスク等の裏面に固定されて移動しないが、前後にスライド移動可能な構成とすることもできる（第３の実施形態）。それは、上記第１の実施形態又は第２の実施形態によって得られる小物入れトレーのフランジ板５、７を、係止溝２６を有する一対のスライドガイド２５によって摺動可能に係止するタイプのものである（図５参照）。その場合、例えば、スライドガイド２５の上面に両面テープ８が定着され、先ず、この両面テープ８を介してスライドガイド２５をテーブル等の裏面に固定し、次いで、フランジ板５、７を係止溝２６に差込んで取り付け完了となる。
【００２２】
以上いずれの実施形態の小物受けトレー３０の場合も、構成簡易で極めて廉価にて供給でき、簡単にテーブル等の裏面に固定して、リモコン、携帯電話、印刷物、筆記具、メガネ、その他種々の小物を収納するために利用することができ、産業上の利用可能性は大である。
【符号の説明】
【００２３】
１            底板
２〜４        周壁
５〜７        フランジ板
８，１８      両面テープ
１１          底板形成部
１２〜１４    周壁形成部
１５〜１７    フランジ板形成部
１９          コーナー固定用舌片
２１，２２    折れ線
２５          スライドガイド
２６          係止溝
３０          小物受けトレー
３１          テーブル
３３          小物収納部
【図１】
0003210801.tif 000003
【図２】
0003210801.tif 000004
【図３】
0003210801.tif 000005
【図４】
0003210801.tif 000006
【図５】
0003210801.tif 000007